(57)【要約】    【課題】紙幣搬送路内に基準紙を搬送させることなく反射型光センサーの出力調整を行なうことができ、また独立部品としてのシャッター手段を不要にして部品点数及び製造工程を削減させるようにした紙幣識別装置を提供する。      【解決手段】回転部材２０の先端部２８を反射型光センサー１１，１２が臨む位置の紙幣搬送路３内に突出させ、これにより反射型光センサー１１，１２で基準反射部材３０，３１からの反射光を検出して反射型光センサー１１，１２の出力調整を行うとともに紙幣引き抜き防止部材４０，４１により紙幣搬送路３を閉塞し、また回転部材２０の先端部２８を紙幣搬送路３内から脱出させて紙幣搬送路３を開放し、これにより投入紙幣の通過を許容して反射型光センサー１１，１２により通過する紙幣の真偽判別をさせるようにした。    【選択図】  図３
2007279896.tif 000002
【特許請求の範囲】
【請求項１】
紙幣搬送路に臨んで発光素子と受光素子からなる反射型光センサーを配設するようにした紙幣識別装置において、
前記反射型光センサーが臨む位置の前記紙幣搬送路内に、先端部に前記発光素子から照射された光を前記受光素子へ向けて反射する基準反射部材及び紙幣引き抜き防止部材を形成した略円弧形状の回転部材を出没自在に配設し、
もって、前記回転部材の先端部を前記反射型光センサーが臨む位置の前記紙幣搬送路内に突出させ、これにより前記反射型光センサーで前記基準反射部材からの反射光を受光素子が検出して前記反射型光センサーの発光量の出力調整を行うとともに前記紙幣引き抜き防止部材により前記紙幣搬送路を閉塞し、また前記回転部材の先端部を前記紙幣搬送路内から脱出させて前記紙幣搬送路を開放し、これにより投入紙幣の通過を許容して前記反射型光センサーにより通過する紙幣の真偽判別をさせるようにしたことを特徴とする紙幣識別装置。
【請求項２】
前記回転部材は円弧形状部と、
該円弧形状部を回動自在に支承する支承部からなり、
該支承部には回転軸が固着され、
また該回転軸には前記回転部材を回転させる回転駆動手段が連結されているとともに、
前記回転部材に設けられた基準反射部材を清掃する基準反射部材清掃手段が該回転軸と所定間隔離れた位置に設けられている
ことを特徴とする請求項１に記載の紙幣識別装置。
【請求項３】
前記基準反射部材清掃手段は前記円弧形状部に圧接する反射部材清掃ローラからなることを特徴とする請求項２に記載の紙幣識別装置。
【請求項４】
前記紙幣引き抜き防止部材は、前記基準反射部材を避けての紙幣引き抜き防止用突起を配置したことを特徴とする請求項１に記載の紙幣識別装置。
【発明の詳細な説明】
【技術分野】
【０００１】
この発明は紙幣の真偽を判別する紙幣識別装置に関し、特に反射型光センサーを使用して紙幣の真偽を判別するようにした紙幣識別装置の改良に関する。
【背景技術】
【０００２】
従来から、紙幣の真偽を判別する紙幣識別装置では、発光及び受光素子からなる反射型光センサーを紙幣搬送路を挟み対向して一対配設し、これにより紙幣搬送路内に投入され、かつ反射型光センサーを通過する紙幣の真偽を上述した反射型光センサーの出力値に基づき判別するようにしたものが提供されている。
【０００３】
このような反射型光センサーを使用した従来の紙幣識別装置では、センサー劣化等に対応する為、保守点検時にその基準出力を調整する必要がある。その出力調整の際、従来の紙幣識別装置では、紙幣搬送路内に一定の反射率を有する基準紙（例えば白紙）を搬送させ、これにより反射型光センサーから伝達されるセンサー出力を検出してその出力調整を行うようにしていた。
【０００４】
また、上述した従来の紙幣識別装置では、投入された紙幣の引き抜き防止等を図るため、紙幣搬送路を開閉する独立部品のシャッター手段を配設するようにしていた。
【発明の開示】
【発明が解決しようとする課題】
【０００５】
ところで、上述した従来の紙幣識別装置では、保守点検時に上述した反射型光センサーの出力調整を行う際は、紙幣搬送路内に基準紙を搬送させて反射型光センサーの出力調整を行うようにしており、その調整作業が人手を介して行うため煩雑である難点がある。
【０００６】
また、上述した従来の紙幣識別装置では、紙幣の引き抜き等を防止するために紙幣搬送路内に独立部品としてのシャッター手段を配設しており、このため紙幣識別装置の部品点数が多く、製造工程及び製造コストが増大する難点があった。
【０００７】
この発明は、上述した事情に鑑み、紙幣搬送路内に基準紙を搬送させることなく反射型光センサーの出力調整を行なうことができ、また独立部品としてのシャッター手段を不要にして部品点数及び製造工程を削減させるようにした紙幣識別装置を提供することを目的とする。
【課題を解決するための手段】
【０００８】
上述した課題を解決するため、この発明では、紙幣搬送路に臨んで発光素子と受光素子からなる反射型光センサーを配設するようにした紙幣識別装置において、前記反射型光センサーが臨む位置の前記紙幣搬送路内に、先端部に前記発光素子から照射された光を前記受光素子へ向けて反射する基準反射部材及び紙幣引き抜き防止部材を形成した略円弧形状の回転部材を出没自在に配設し、もって、前記回転部材の先端部を前記反射型光センサーが臨む位置の前記紙幣搬送路内に突出させ、これにより前記反射型光センサーで前記基準反射部材からの反射光を受光素子が検出して前記反射型光センサーの発光量の出力調整を行うとともに前記紙幣引き抜き防止部材により前記紙幣搬送路を閉塞し、また前記回転部材の先端部を前記紙幣搬送路内から脱出させて前記紙幣搬送路を開放し、これにより投入紙幣の通過を許容して前記反射型光センサーにより通過する紙幣の真偽判別をさせるようにしている。
【発明の効果】
【０００９】
この発明では、反射型光センサーが臨む位置の紙幣搬送路内に、先端部に基準反射部材及び紙幣引き抜き防止部材を形成した略円弧形状の回転部材を出没自在に配設し、この回転部材の先端部を前記反射型光センサーが臨む位置の前記紙幣搬送路内に突出させることにより、反射型光センサーで基準反射部材からの反射光を検出して反射型光センサーの出力調整を行うとともに前記紙幣引き抜き防止部材により前記紙幣搬送路を閉塞し、また回転部材の先端部を前記紙幣搬送路内から脱出させて前記紙幣搬送路を開放し、これにより投入紙幣の通過を許容して前記反射型光センサーにより通過する紙幣の真偽判別をさせるようにしたから、紙幣搬送路内に基準紙を搬送させることなく反射型光センサーの出力調整を行なうことができ、このため任意の場所や時期に反射型光センサーの出力調整を行うことができるとともに、紙幣引き抜き防止部材によりシャッター手段を兼ねていることから、部品点数及び製造工程を大幅に削減させることが出来、これによりコスト及び保守点検作業性を大幅に向上させるようにした紙幣識別装置を提供することができる。
【発明を実施するための最良の形態】
【００１０】
以下、この発明に係る紙幣識別装置の一実施例を詳述する。
【００１１】
図１はこの発明に係る紙幣識別装置１の要部破断概念図である。
【００１２】
この紙幣識別装置１には、紙幣投入口２に連通して紙幣搬送路３が形成されている。
【００１３】
そして、この紙幣搬送路３の上下面には、当該紙幣搬送路３に臨んで、紙幣投入口２から投入された投入紙幣４を前記紙幣搬送路３に沿って搬送する上下各一対の紙幣搬送ローラ５，６が配設されている。
【００１４】
一方、上述した紙幣搬送路３の一部には、当該紙幣搬送路３を通過する紙幣の真偽を判別する紙幣真偽判別手段１０が配設されている。
【００１５】
この紙幣真偽判別手段１０は、従来と同様に紙幣搬送路３に臨んで互いに対向するように配設された発光及び受光素子からなる反射型光センサー１１，１２から構成されている。
【００１６】
そして、前記反射型光センサー１１，１２が臨む位置の前記紙幣搬送路３には、本願発明の主要構成要素である前記紙幣搬送路３内に出没自在な回転部材２０が配設されている。
【００１７】
この回転部材２０は、図１のＡ視による図２の概念図、および回転部材２０の概念斜視図で示す図３のように円弧形状部２１と、この円弧形状部２１を回動自在に支承する断面Ｌ字形状の一対の支承部２２とから構成されている。
【００１８】
そして、この一対の支承部２２の一端で前記円弧形状部２１の中心位置に対応する部分には、それぞれ回転軸２３が固着されている。また、この回転軸２３は軸受部材２４に回動自在に支承され、その端部２３ａに固着されたプーリ２５およびこのプーリ２５に巻回するコックドベルト２６とからなる回転駆動手段２７に連結されている。
【００１９】
このような、回転部材２０によると、回転駆動手段２７がモータ等の駆動手段により回転駆動されると、回転軸２３および支承部材２２を介して円弧形状部２１が矢印Ｂのように回転することとなる。
【００２０】
一方、図３で示すように、前記円弧形状部２１の先端部２８であって、反射型光センサー１１，１２が臨む位置の前記紙幣搬送路３内に出没する部分の上下面中央部には例えば白色に彩色された基準反射部材３０，３１が形成され、またその基準反射部材３０，３１に隣接し、かつ前記基準反射部材３０，３１を避ける位置には紙幣引き抜きを防止する一対の紙幣引き抜き防止用突起４０，４１が形成されている。
【００２１】
また、回転部材２０の前記円弧形状部２１には、前記基準反射部材３０，３１が回転通過する位置に一対の反射部材清掃ローラ５０，５１からなる基準反射部材清掃手段５２が圧接するように配設され、この一対の基準反射部材清掃ローラ５０，５１により前記円弧形状部２１が回転する都度、前記基準反射部材３０，３１が清掃されるように構成されている。なお、一対の反射部材清掃ローラ５０，５１は図３に示すように両端に配設された一対のコイルスプリング８０により互いに接近するように付勢されている。
【００２２】
なお、図１で符号６０，６１は、投入紙幣４を検出する紙幣検出センサーである。
【００２３】
次に、上述した本願発明に係る回転部材２０の作用を説明し、併せて構成をより詳細に説明する。
【００２４】
この紙幣識別装置１において、保守点検時に反射型光センサー１１，１２の出力調整を行う際は、図３に示す回転駆動手段２７をモータ等の駆動手段により回転駆動し、これにより回転部材２０の先端部２８を軸２３を中心に回転させ、図４で示すように、紙幣搬送路３に形成された図示せぬ孔を介して反射型光センサー１１，１２が臨む位置の前記紙幣搬送路３内、即ち一対の反射型光センサー１１，１２間に突出させる。
【００２５】
このように、回転部材２０の先端部２８を一対の反射型光センサー１１，１２間に突出させると、図４の要部拡大図で示す図５のように、基準反射部材３０，３１がそれぞれ対応する反射型光センサー１１，１２と対向するとともに、紙幣引き抜き防止用突起４０，４１が紙幣搬送路３の一部を閉塞する。
【００２６】
この図５で示すように、基準反射部材３０，３１がそれぞれ対応する反射型光センサー１１，１２と対向し、かつ紙幣引き抜き防止用突起４０，４１が紙幣搬送路３の一部を閉塞した後、当該反射型光センサー１１，１２を駆動し、当該反射型光センサー１１，１２から伝達されるセンサー出力を検出することによりその出力調整を行うようことができるとともに、紙幣引き抜き防止用突起４０，４１により投入紙幣の引き抜き防止が同時に図られることとなる。
【００２７】
なお、図４で符号７０は、回転部材２０を図５に示す回転位置に位置決め停止させるボールプランジャー手段で、このボールプランジャー手段７０は、軸受２４に配設された弾発力を有するボールプランジャー７１と、回転部材２０の支承部材２２に形成された第１の決め孔７２および第２の位置決め孔７３とから構成され、図４で示すように、ボールプランジャー７１が第１の位置決め孔７２に嵌着すると、回転部材２０は反射型光センサー１１，１２の出力調整モードおよび紙幣搬送路３の閉塞モードの位置に停止する。
【００２８】
なお、この回転部材２０が反射型光センサー１１，１２の出力調整モードおよび紙幣搬送路３の閉塞モードの位置に停止したか否かは、回転部材２０の支承部材２２に形成された第１の切り欠８０を光学検出センサー８１が検出することにより判断される。
【００２９】
なお、回転部材２０の先端部２８を一対の反射型光センサー１１，１２間に突出させる際に、当該一対の反射型光センサー１１，１２は、それぞれ対応する基準反射部材清掃ローラ５０，５１と圧接してその清掃が図られることとなる。
【００３０】
次に、図４で示す、反射型光センサー１１，１２の出力調整モードおよび紙幣搬送路３の閉塞モードから、図３に示す回転駆動手段２７をモータ等の駆動手段により反対方向へ回転駆動し、これにより回転部材２０の先端部２８を図６で示すように軸２３を中心に矢印Ｃ方向へ回転させ、図７に示す回転位置に至ると、ボールプランジャー７１が今度は第２の位置決め孔７３に嵌着し、同時に光学検出センサー８１が第２の切り欠８２を検出するので、その位置で回転部材２０の回転が停止する。                    
この図７で示す回転部材２０の回転停止位置によると、回転部材２０の先端部２８は紙幣搬送路３内から脱出し、これにより紙幣引き抜き防止用突起４０，４１による紙幣搬送路３の閉塞を解除するので、当該紙幣搬送路３が開放される。従って、この図７で示す状態は通常の紙幣判別モードとなり、これにより投入紙幣の通過を許容して反射型光センサー１１，１２により通過する紙幣の真偽判別が行なわれることとなる。  
なお、上記実施例では、紙幣搬送路３を挟み上下一対の反射型光センサー１１，１２を配設した場合について詳述したが、この発明は上記実施例に限定されることなく、紙幣搬送路３に臨み一つの反射型光センサーを配設した場合に適用してもよい。
【００３１】
また、上記実施例では、図３に示すように、回転部材２０を回転駆動する回転駆動手段２７を左右一対の回転軸２３のそれぞに配設するようにしたが、この発明は上記実施例に限定されることなく、いずれか一方の回転軸２３のみに配設するようにしても良い。
【産業上の利用可能性】
【００３２】
以上説明したように、この発明に係る紙幣識別装置は、紙幣搬送路内に基準紙を搬送させることなく反射型光センサーの出力調整を行なうことができ、また独立部品としてのシャッター手段を不要にして部品点数及び製造工程を削減させるようにした紙幣識別装置に適している。    
【図面の簡単な説明】
【００３３】
【図１】図１はこの発明に係る紙幣識別装置の要部破断概念図。
【図２】図２は図１のＡ視による概念図。
【図３】図３は回転部材の概念斜視図。
【図４】図４は、この発明に係る紙幣識別装置の作用を示す要部拡大図。
【図５】図５は図４の要部拡大図。
【図６】図６は、この発明に係る紙幣識別装置の作用を示す要部拡大図。
【図７】図７は、この発明に係る紙幣識別装置の作用を示す要部拡大図。
【符号の説明】
【００３４】
１…紙幣識別装置
３…紙幣搬送路
１１，１２…反射型光センサー
２０…回転部材
２１…円弧形状部
２２…支承部
２３…回転軸
２７…回転駆動手段
２８…先端部
３０，３１…基準反射部材
４０，４１…紙幣引き抜き防止用突起
５０，５１…反射部材清掃ローラ
５２…基準反射部材清掃手段
【図１】
2007279896.tif 000003
【図２】
2007279896.tif 000004
【図３】
2007279896.tif 000005
【図４】
2007279896.tif 000006
【図５】
2007279896.tif 000007
【図６】
2007279896.tif 000008
【図７】
2007279896.tif 000009